(57)【要約】【課題】冠婚葬祭等の個人的イベントに際し、複数の写真を配列した印象的かつ効果的な人物紹介画像集を短時間で編集して、イベント参加者に紹介することができる人物紹介システムを提供する。【解決手段】サービス業者側のサーバ装置と該サーバ装置に通信ネットワークを介して接続されるイベント会場側の端末装置とで構成され、イベントの主役となる人物に関連する画像やデータを顧客から受け取ったサービス業者が、当該サービス業者側のサーバ装置でこれら複数の画像を所定の順に配列した人物紹介画像集を制作してサーバ装置の記憶部に保存するとともに、この人物紹介画像集をイベント会場側の端末装置にダウンロードして該端末装置に付設したディスプレイ装置でイベント参加者に展示するように構成した。【選択図】　　　　図１
2004038854.tif 000002
【特許請求の範囲】
【請求項１】
冠婚葬祭等の個人的イベントに際し、当該個人的イベントの主役となる人物の生い立ち等の人物情報をイベント参加者に紹介するためのシステムであって、顧客から提供される当該人物に関連する複数の画像を所定の順に配列した人物紹介画像集を制作するサービス業者側のサーバ装置と、該サーバ装置と通信ネットワークを介して接続されるイベント会場側の端末装置とで構成され、前記サービス業者が制作して前記サーバ装置の記憶部に記憶されている人物紹介画像集をイベント会場側の端末装置にダウンロードして該端末装置に付設したディスプレイ装置でイベント参加者に展示するように構成されていることを特徴とするイベント用人物紹介システム。
【請求項２】
サービス業者側のサーバ装置には、予め用意されている画像配列用の枠列及び制作された人物紹介画像集を記憶する記憶部と、顧客から提供された複数の画像を前記枠列の各枠にそれぞれ当て嵌めることにより、所定の筋書きで各画像が配列された人物紹介画像集とする画像処理部と、該人物紹介画像集を所定の端末装置に送信する送信部とが設けられている請求項１に記載のイベント用人物紹介システム。
【請求項３】
人物紹介画像集には、音声、文字等による説明が付加されている請求項１又は２に記載のイベント用人物紹介システム。
【請求項４】
該当する人物に関連する画像やデータが、顧客側の端末装置から通信ネットワークを介してサービス業者側のサーバ装置に送信される請求項１乃至３のいずれかに記載のイベント用人物紹介システム。
【発明の詳細な説明】
【０００１】
【発明の属する技術分野】
本発明は、冠婚葬祭等の個人的イベントに際し、当該個人の生い立ち等の情報をテレビ等のデイスプレイ装置で出席者に紹介するための人物紹介システムに関するものである。
【０００２】
【従来の技術】
結婚式や葬式では、主役となる人物の人物像（プロフィールと呼ばれる）や他の関連情報を写真画像とともにスライドで参加者に紹介することが広く行われている。この場合、当該人物の幼少時代から現在に至るまでの生い立ちを表す写真画像をスライド化して、時系列に沿って映写しつつ、適当な説明アナウンスやバックグラウンドミュージック（ＢＧＭ）を音声で流すのが一般的である。
【０００３】
上記個人的イベントが、結婚式である場合は、当日までに十分な準備期間があるので、多くの写真から適当なものを選択し、印象的な紹介用のストーリを構成することができる。しかしながら、葬式の場合は、準備期間が殆ど無いので、遺族から提供された写真をもとに故人のプロフィール等を紹介するストーリに組み立てるのは時間的にきわめて困難である。また、仮に十分な準備期間があったとしても、不慣れな素人がこれを印象的な人物紹介画像集にまとめるのは困難である。
【０００４】
【発明が解決しようとする課題】
そこで本発明は、冠婚葬祭等の個人的イベントに際し、印象的かつ効果的な人物紹介画像集を短時間で編集してイベント参加者に紹介することができるようにすることを課題としている。
【０００５】
【課題を解決するための手段】
上記課題を解決するため、本発明は次のような構成を採用した。すなわち、本発明にかかるイベント用人物紹介システムは、冠婚葬祭等の個人的イベントに際し、当該個人的イベントの主役となる人物の生い立ち等の人物情報をイベント参加者に紹介するためのシステムであって、顧客から提供される当該人物に関連する複数の画像を所定の順に配列した人物紹介画像集を制作するサービス業者側のサーバ装置と、該サーバ装置と通信ネットワークを介して接続されるイベント会場側の端末装置とで構成され、前記サービス業者が制作して前記サーバ装置の記憶部に記憶されている人物紹介画像集をイベント会場側の端末装置にダウンロードして該端末装置に付設したディスプレイ装置でイベント参加者に展示するように構成されていることを特徴としている。
【０００６】
上記該当人物に関連する画像やデータは、これを所蔵する顧客からインターネット等の通信ネットワークを通じて受け取るのが時間節約上好ましい。また、編集された人物紹介画像集は、通信ネットワークを介してイベント会場側の端末装置に送信し、それを該イベント会場に設けたディスプレイ装置で参加者に紹介するように構成すればよい。前記通信ネットワークとしては、高速回線（ＡＤＳＬ、光ケーブル等による通信回線）を使用するのが好ましい。
【０００７】
【発明の実施の形態】
以下、本発明の実施形態について具体的に説明する。図１は本発明の人物紹介システムの説明図である。同図では、該当する人物に関連する複数の画像をまとめて当該人物紹介用の画像集とするサービス業者（Ａ）と、該サービス業者（Ａ）に写真やデータを提示して人物紹介画像集の作成を依頼する顧客（Ｂ）と、ホテル、葬儀屋等、イベントを実行するイベント業者（代理店）（Ｃ）との間で人物紹介画像集の制作と提供とイベント参加者に対する展示を行う例が表されている。
【０００８】
図示例のシステム１は、上記サービス業者（Ａ）側サーバ装置（データベースサーバ）２と、イベント業者（Ｃ）側端末装置４と、顧客（Ｂ）側端末装置５とで構成されるもので、サービス業者側に設置したサーバ装置２と、イベント業者側に設置した端末装置４，…とを、図２に示すように、通信回線６を介して接続するよう構成されている。顧客（Ｂ）は、その端末装置５を上記サーバ装置２に接続して手続きを行う。この通信回線（ネットワーク）６としては、インターネットを利用するのが便利である。以下インターネットを利用する場合について説明する。
【０００９】
サービス業者（Ａ）は、顧客（Ｂ）から依頼された写真や当該人物に関する紹介用情報に基づいて紹介画像集（画像、説明アナウンス、バックグラウンドミュージック等で一つのストーリーを構成している）を制作する。この紹介画像集の制作は、顧客（Ｂ）から提供された個々の画像（以下、写真を用いる場合について説明する）とデータを用いてサーバ装置２の情報処理部で行う。顧客から提供される画像は、当該人物のプロフィールを紹介するに適した画像（「人物関連画像」と言う）である。この人物紹介画像集を実際に作成するに際しては、まず、サービス業者（Ａ）が顧客（Ｂ）と契約を結んで、必要な写真やデータの提供を受ける必要がある。サービス業者（Ａ）が直接顧客（Ｂ）から情報（写真、データ等）の提供を受けるかわりに、顧客（Ａ）がイベント業者（Ｃ）にこれを提供し、イベント業者（Ｃ）がこれをサービス業者側に提供することも多い。この写真、データ等の情報の提供は、原則としてインターネットを介して、メールで行われるもので、電子メールで送信された画像は、コンピュータを用いて行う紹介画像の作成にそのまま利用することができるので便利である。なお、通信ネットワークで送受信せず、手渡し等でサービス業者に届けてもよい。
【００１０】
図３は、上記サーバ装置２の主な構成を示すブロック図である。サーバ装置２と端末装置４，５とは基本的には同じ機能を備えており、ＣＰＵ（情報処理部）１０、情報の送受信を行う送受信部１２、ＲＯＭ、ＲＡＭやハードディスク等からなる記憶部１４、ＣＲＴやＬＣＤ等の表示部１６、キーボードやマウス等の入力部１８、プリンタ等の出力部２０を有する。
【００１１】
人物紹介用の画像集（所定のストーリー又は筋書きに沿って順に配列された画像群と、音声又は文字による説明、音楽等をコンテンツとする）は、通常は、対象となる人物の生誕から現在までの生い立ちを写真画像とともに説明するものが一般的であり、所定のソフトを利用する画像処理手段と説明付加手段により制作することができる。この紹介用画像集の制作を容易にするため、あらかじめ所定の筋書きに沿って画像当て嵌め用の枠（コマ）を配列した枠列を用意しておき、実際に提供された写真を、その内容に基づいてこの枠列の各枠（コマ）に当て嵌めるようにするのが便利である。このように、人物紹介画像集の構成をパターン化した枠列を用意しておけば、入手した写真をこれに当て嵌める操作によって、短時間で目的とする画像集を制作することができる。人物紹介画像集の内容としては、例えば「写真３０枚＋既製ＢＧＭ」（ａ）、「写真３０枚＋オリジナルＢＧＭ」（ｂ）、「写真３０枚＋α＋既製ＢＧＭ」（ｃ）、「写真３０枚＋α＋オリジナルＢＧＭ」（ｄ）、「上記ａ＋ｂ＋ｃ＋ｄ＋ＣＤ」（ｅ）等である。これ以外でもよいことは言うまでもない。
【００１２】
図４は上記写真当て嵌め用の枠の列からなる枠列を観念的に表すフローチャートであり、各枠Ｆには通し番号（丸付き数字で表す）が付されている。そこで、入手した各画像（具体的な写真で提供された場合はスキャナーで読み込んでおく）を適当な番号の枠Ｆに振り分けて当て嵌める。一方、枠列の基本となる筋書きの各ステージごとにブロック化された説明Ｅ（音声又は文字による）を別途用意しておき、所定の枠に対し、当該枠に当て嵌めた画像に適した説明を当該枠に付加する。通常は、最初の枠（コマ）（▲１▼）は、本なら表紙に当たるカバー部分であり、該当する人物の氏名等必要な事項を表示するようにする。また、例えば、枠列の筋書き（紹介用ストーリー）における本人の誕生を説明する段階では、当該人物の赤ん坊のときの写真Ｐ１とともに、出生地、両親の名前、何人兄弟の何番目等のデータを音声や文章で説明する。これら説明内容をパターン化しておき、必要に応じて説明内容の追加又は削除を行うようにしておけばよい。
【００１３】
同様に、小学生時代（Ｐ２）、中学生時代、高校生時代、大学生時代、青年時代、結婚式、会社員時代、中年期、壮年期、老年期等の各ステージにしたがって写真とともにデータを紹介する。これら時系列で並べる画像の間に、釣り、ゴルフ、登山、水泳等本人の趣味に関連する写真等も挿入しておくのが好ましい。この各枠に対する説明Ｅの内容もパターン化しておくことができる。
【００１４】
勿論、実際の制作作業に際しては、パターン化された内容に対し、取捨選択、変更等の修正を加える。この取捨選択等は人間が行うもので、画像の修正や変更は公知の画像処理ソフトを用いて行えばよい。また、上記筋書き上の各ステージにおける適当な写真がない場合は、そのステージの説明を音声や文章、イラスト等で行ってもよく、場合によってはそのステージの説明を省略してもよい。この種の説明パターンを複数種類（例えば、生い立ち順のパターン、業績を主体とするパターン等）用意しておき、その都度適当なものを選択するようにしてもよい。また、紹介ストーリの筋書きそのものも、定型の時系列によるものに限らず、変化に富んだ種々のパターンを用意しておき、適宜選択利用するようにすればよい。なお、このプロフィール紹介中は、適当なバックグラウンドミュージック（ＢＧＭ）を流すようにするのが好ましい。この種のＢＧＭもあらかじめ紹介ストーリに結合しておくことができる。
【００１５】
この人物紹介システムによる紹介方法の各作業を順に示すと次のようになる。まず、最初のステップで、該当人物に関連する画像（写真）を入手する。この場合、顧客からインターネットを介してメールで提供を受ければよい。次のステップで、提供を受けた複数の写真を予め用意されている所定の枠列に当て嵌めていく。この枠列は、別のステップで制作しておく。次のステップで、各画像を当て嵌めた枠に解説やＢＧＭを付加する。このステップは、画像を枠に当て嵌めるステップの前に位置させてもよい。これらのステップにより人物紹介画像集が完成するが、この人物紹介画像集は次のステップでデータベース（記憶部）に保存するとともに、所望の端末装置に配信する。一方、これを受信（サーバ装置のデータベースにアクセスしてダウンロードしてもよい）した端末装置側では、付設のディスプレイで受信した人物紹介画像を展示する。
【００１６】
作成された人物紹介画像集は、プロフィール紹介ストーリーとも呼べるもので、その内容は、画像、音声、文章、ＢＧＭ等をコンテンツとする。この人物紹介画像集は、制作を担当したサービス業者（Ａ）のサーバ１のデータベースに保存するとともに、要望に応じてプロフィールＤＶＤやＣＤとして個人の顧客（Ｂ）に提供することもできる。顧客は、このプロフィールＤＶＤを手持ちのパソコンとテレビ等のモニターやディスプレイ装置で適宜再生することができる。また、サービス業者（Ａ）は、顧客の同意を得て、自己が開設したホームページにこの人物紹介画像集を掲載し、イベントに参加できなかった人や他の知人等、多くの人に見てもらうこともできる。
【００１７】
さらに、サービス業者（Ａ）は、サーバ装置１に保存されている人物紹介画像をインターネットで配信するため、契約した顧客（Ｂ）に該データベースに接続するためのＩＤナンバー、アドレス、パスワード等の必要な情報を通知する。顧客（Ｂ）は、このサーバ装置１のデータベースから人物紹介画像集を手持ちのパソコンや、イベント会場のコンピュータでダウンロードして所望のディスプレイ装置に再生することができる。
【００１８】
一方、ホテルや冠婚葬祭業者等のイベント業者（代理店（Ｃ））に人物紹介画像集を提供する場合は、まず人物紹介画像集の制作を依頼する顧客から当該代理店側が写真とデータの提供を受け、これをインターネットを通じてサービス業者（Ａ）にメールで送信する。他の方法でサービス業者（Ａ）に提供してもよく、代理店（Ｃ）の紹介により、サービス業者（Ａ）が直接依頼主から写真等を受け取ってもよい。サービス業者（Ａ）は、提供された写真とデータに基づいて上記と同様に人物紹介画像集を作成し、データベースサーバ１の記憶部に保存する。この場合の顧客である代理店（Ｃ）は、自己の端末装置（パソコン等）を上記データベースサーバ１に接続して、当該人物紹介画像集をダウンロードし、式場や会場に設置されている大型のディスプレイ装置で出席者に展示することができる。この場合は、サービス業者（Ａ）はパスワードやＵＲＬを当該代理店（Ｃ）に知らせておく。
【００１９】
このシステムを用いて人物紹介を行う例を葬式の場合について具体的に説明すると、まず、葬儀を委託された葬儀屋が遺族と打ち合わせて必要な写真と故人に関するデータを入手する。この写真とデータは、インターネットを通じてサービス業者（Ａ）に送信され、これを受信したサービス業者（Ａ）は、短時間（数時間、例えば３時間以内）で提供された写真を編集し、人物紹介画像集を制作する。このためには、前述の如く、あらかじめ紹介ストーリーの基本となる筋書きや説明文をパターン化しておき、入手した写真、データ等と適当に選択したＢＧＭ（オリジナルでもよい）をこれに当て嵌めることにより迅速に人物紹介画像集を完成する。
【００２０】
完成した人物紹介画像集は、葬儀会場に配信され、そこで大型のディスプレイ装置で放映される。この画像集は、繰り返し再生することが可能であるから、例えば通夜から告別式終了時まで長時間にわたって流し続けることも可能である。さらに、顧客が所望する場合は、これを記念用のＣＤとして顧客に提供することもできる。
【００２１】
以上の説明では、静止写真を編集して一連の人物紹介画像集とする場合について述べたが、ブロードバンドを利用して、ビデオ画像（動画）を用いた人物紹介画像集を制作することも可能である。この場合は、さらに印象的で広がりのある人物紹介を行うことができる。
【００２２】
なお、上記サービス業者は、人物紹介画像集の制作に人手を要するため、例えばこの制作方法を教育した多数の協力者と契約しておき、作業を適宜これら協力者に振り分けるようにするのが望ましい。このようにすると、失業者に対する労働提供策として貢献することもできる。この場合、各協力者は、予め作業可能な日や時間を登録しておき、作業可能な状態となったときは電子メールでスタンバイ状態であることを報告する。サービス業者は、順次スタンバイ状態となっている者へ必要な情報を送信し、人物紹介画像集を編集してもらう。そして、最後に制作された人物紹介画像の内容を確認して顧客やイベント業者に提供する。
【００２３】
【発明の効果】
以上の説明から明らかなように、本発明に係るイベント用人物紹介システムは、通信ネットワークを利用して短時間で人物の紹介画像集を制作し、所望の端末装置に配信することができるので、結婚式や祝賀パーティのみならず、短時間で作業を行う必要のある葬儀用の人物紹介にも適したものとなった。依頼者は、写真と必要なデータ（簡単なもので可）を提供するだけで、印象的な人物紹介を行うことができるので、きわめて便利である。
【図面の簡単な説明】
【図１】本発明の実施の形態を例示するブロック図である。
【図２】その接続状態を表す説明図である。
【図３】サーバ装置と端末装置の構成を表すブロック図である。
【図４】人物紹介画像集の制作方法を表す図である。
【符号の説明】
１　　人物紹介システム
２　　サーバ装置
４　　イベント業者側端末装置
５　　顧客側端末装置
６　　通信ネットワーク
【図１】
2004038854.tif 000003
【図２】
2004038854.tif 000004
【図３】
2004038854.tif 000005
【図４】
2004038854.tif 000006